【事件の表示】
　特願２００７−１６３７４１「軸方向空隙型コアレス振動モータ」拒絶査定不服審判事件〔平成２１年　１月　８日出願公開，特開２００９−　　５４９１〕について，次のとおり審決する。
【結　論】
　本件審判の請求は，成り立たない。
【理　由】
１．手続の経緯
　本願は，平成１９年６月２１日の出願であって，平成２０年６月１８日付けで拒絶査定がなされ，これに対し，同年７月２日に拒絶査定不服審判の請求がなされるとともに，同日付け手続補正書による手続補正（以下「本件補正」という。）がなされたものである。
　　
２．本件補正についての補正却下の決定
［補正却下の決定の結論］
　本件補正を却下する。
　
［理由］
（１）補正の内容
　本件補正は，以下の補正事項を含むものである。
　
　ａ）特許請求の範囲の請求項２の中の「巻線型空心電機子コイル」について，補正前の請求項１によれば「複数の巻線型空心電機子コイル」とされていたものを，「軸支承部の外方に配された巻線型空心電機子コイル」と補正する（以下「補正事項ａ」という。）。
　
　ｂ）同請求項２において，補正前の請求項１によれば「印刷配線板に複数のセグメントからなるコミュテータが備えられる」とされていたものを，「複数のセグメントが備えられた印刷配線板」と補正する（以下「補正事項ｂ」という。）。
　
　なお，補正後の特許請求の範囲の請求項２は次のとおりである（アンダーラインは，請求人が付与したものである。）。
「
中心に配された軸支承部と，
　
該軸支承部の外方に配された巻線型空心電機子コイルと，
　
該コイルと前記軸支承部と間に該コイルと平面視で重ならないように形成され，該コイルの厚み内になるように配されたもので，一面側にロータ下面から突きでないようにした複数のセグメントが備えられた印刷配線板と，
　
前記印刷配線板と重畳しない主要部と，前記印刷配線板と他面側で重畳し該主要部から内方に突き出された該主要部より薄い舌片
　前記舌片を覆うようにこれらを一体化する樹脂とが備えられ，
　前記偏心ウエイトは前記舌片
でもって
て軸方向空隙型偏心ロータとして構成されたもので，
　該
偏心
　前記軸の周囲で前記ブラケットに添設され，該ブラケットに形成された給電端子逃げを介してケース側方に給電端子が導出されたブラシベースと，
　該ブラシベースに植設され前記ロータに電力を供給する正負のブラシと，前記ブラシの周囲に配されて前記ロータに磁力を供給するマグネットとが備えられた軸方向空隙型コアレス振動モータ。」
　　
（２）補正事項の検討
　上記補正事項ａにより，軸方向空隙型偏心ロータが備える「巻線型空心電機子コイル」については，「複数の」という個数の限定が削除された。
　ところで，例えば特開２００７−５３８４３号公報の【請求項１】，【０００４】及び【０００６】に，「印刷配線板の一側で中心に位置されるコミュテータ基部と，該コミュテータ基部の外方他側で少なくとも１個の巻線型空心電機子コイルと，該巻線型空心電機子コイルが載置された印刷配線板とが・・・樹脂で一体成形された軸方向空隙型コアレスロータ」と記載されているように，軸方向空隙型ロータの巻線型空心電機子コイルとしては，「複数」のみならず「１個」即ち「単数」の巻線型空心電機子コイルでも構成し得ることが知られている。
　そうすると，上記補正事項ａにより，軸方向空隙型偏心ロータが備える「巻線型空心電機子コイル」については，「複数の巻線型空心電機子コイル」のみならず，「単数の巻線型空心電機子コイル」をも含むこととなるため，その対象個数の範囲が拡大されたことになるといわざるをえない。
　　
　さらに，上記補正事項ｂにより，印刷配線板に備えられた「複数のセグメント」については，「コミュテータ」という機能・用途の限定が削除されたことにより，「コミュテータ」を兼ねているもののみならず，それを兼ねていないものをも含むこととなったため，その対象範囲が拡大されたことになるといわざるをえない。
　
　したがって，上記補正事項ａ及びｂは，特許請求の範囲の減縮を目的としたものとは認められない。
　また，上記補正事項ａ及びｂが，請求項の削除，誤記の訂正ないし明りょうでない記載の釈明を目的としたものでないことも明らかである。
　よって，上記補正事項ａ及びｂに係る補正は，特許法第１７条の２第５項に規定するいずれの目的にも適合しないものである。
　
（３）むすび
　以上のとおりであって，上記補正事項ａ及びｂを含む本件補正は，改正前の特許法第１７条の２第５項の規定に違反するので，同法第１５９条第１項において読み替えて準用する同法第５３条第１項の規定により却下を免れない。
　　　
３．本願の発明について
　本件補正は上記のとおり却下され，また，平成２０年５月２１日付け手続補正書による補正も平成２０年６月１８日付けで既に却下されているので，本願の請求項１に係る発明（以下，同項記載の発明を「本願発明」という。）は，平成２０年３月１４日付け手続補正書の特許請求の範囲の請求項１に記載された事項により特定される，以下のとおりのものである。
「複数の巻線型空心電機子コイルと，前記巻線型空心電機子コイルの端末が結線された印刷配線板と，主要部分が前記印刷配線板と重畳しないようになっており，該主要部分から突き出されて内方に延設されたもので前記空心電機子コイルの厚み内となる舌片が備えられ，該舌片が前記印刷配線板と重畳されて半田付けすることによって固定されたタングステン合金製偏心ウエイトとが前記舌片を覆うように樹脂で一体化され，さらに，前記印刷配線板に複数のセグメントからなるコミュテータが備えられると共に，中心に軸支承部が備えられた軸方向空隙型偏心ロータ。」
　
（１）引用例
（２−１）原査定の拒絶の理由に引用された特開２００７−５３８４３号公報（以下「引用例１」という。）には，図面とともに次の事項が記載されている。
　
　・「【０００１】
　この発明は，移動体通信装置の無音報知手段等に用いて好適なもので軸方向空隙型ロータと該ロータを備えた軸方向空隙型モータの改良に係り，特に高速回転ながら長寿命が得られるものに関する。」
　
　・「【０００７】
　この発明の軸方向空隙型ロータは，ここでは振動発生用として偏心ロータからなるもので説明する。
　図１，図２において，印刷配線板１の一側中心に熱変形温度が２５０℃の樹脂２でコミュテータ基部２ａが一体成形で立ち上げられる。該印刷配線板１の他側には，当該樹脂２で約１３５°の配置開角で２個の巻線型空心電機子コイル３，３が一体成形される。前記コミュテータ基部２ａの外周に，円弧状の摺動部４ａと水平方向に外方に延設された接続端子部４ｂで構成した複数のコミュテータ片４からなる円筒型コミュテータＣが備えられる。
　・・・前記コミュテータ基部２ａに前記複数（ここでは６個）のコミュテータ片４が組み付けられ，前記接続端子部で前記印刷配線板に結線することにより円筒型コミュテータＣとして一体化される。
　前記２個の巻線型空心電機子コイル３，３の中心を介して反対側には，偏心ロータにするために比重１８程度のタングステン合金製の偏心ウエイトＷが前記樹脂２で一体化される。ここで前記印刷配線板１は前記偏心ウエイトＷは重量を確保するためにロータの厚み一杯にする必要があり，すなわち主要な両面が露出されるようにこの偏心ウエイトＷの主要な両面の部分が形成され，この偏心ウエイトＷの内径側は部分的には段差を有するように切り欠かれ，樹脂２に覆われ，抜け強度を確保している。
　このようにすることによって前記空心電機子コイル３，３と偏心ウエイトの比重差により大きな偏心量が得られる。
【０００８】
　この偏心ロータＲは，さらに中心に含油軸受Ｊが一体に埋め込まれると共に，さらに軸方向に付勢させる吸引板５が一体化され，ブラケット６にレーザ溶接Ｌ１で基端を固定された軸７に前記含油軸受Ｊを介して回転自在に装着され，前記円筒型コミュテータＣに径方向から摺接されたブラシＢとこのブラシＢの外方で前記ブラケット６に配されたマグネット８と空隙を介して対向し，これらの部材は前記軸の先端を受けるケース９に格納される。
　軸７の先端は，ケース９の中心に小径の透孔９ａを有する凹所９ｂに填め込まれ，外方から必要に応じてレーザ溶接Ｌ２され，ブラケット外周とケース９は開口部でブラケット外周とやはりレーザ溶接Ｌ３されて組み立てられる。」
　
　・図１には，巻線型空心電機子コイル３が印刷配線板１に載置された構成，及び，主要部分が印刷配線板１と重畳しないようになっており，該主要部分から突き出されて内方に延設されたもので空心電機子コイル３の厚み内となる舌片が備えられ，該舌片が前記印刷配線板１と重畳されて樹脂２によって固定された偏心ウエイトＷの構成を有する偏心ロータＲが示されている。
　
　これらの記載事項及び図示内容を総合すると，引用例１には，次の発明（以下「引用発明」という。）が記載されていると認めることができる。
「２個の巻線型空心電機子コイル３と，前記巻線型空心電機子コイル３が載置された印刷配線板１と，主要部分が前記印刷配線板１と重畳しないようになっており，該主要部分から突き出されて内方に延設されたもので前記空心電機子コイル３の厚み内となる舌片が備えられ，該舌片が前記印刷配線板１と重畳されて樹脂２によって固定されたタングステン合金製の偏心ウエイトＷとが前記舌片を覆うように樹脂２で一体化され，さらに，前記印刷配線板１に複数のコミュテータ片４からなる円筒型コミュテータＣが備えられると共に，中心に含油軸受Ｊが一体に埋め込まれた偏心ロータＲからなる軸方向空隙型ロータ。」
　
（２−２）同じく，引用された特開平４−１６８９５０号公報（以下「引用例２」という。）には，図面とともに次の事項が記載されている。
　
　・「この発明は，小型無線呼び出し装置（ぺイジャ）の無音報知源やマッサージャの振動源として好適な出力軸のない振動モータに関する。」（１頁右下欄２〜４行）
　
　・「この発明の第１の実施例は，第１図に示すようにリチウム電池型偏平コアレス振動モータに応用したもので，ハウジングの一部を構成するケース１の中央部にシャフトホルダ１ａを介してステンレス製のシャフト２を圧入させてあり，このシャフト２に含油軸受３，オイルバリヤ処理したロータホルダ４を介して偏心させたロータ５が装着される。
この偏心させたロータ５は，具体的には第２図に示すように平角銅線を巻回してなる２個の電機子コイル６，６を約１２０°ピッチで，碇り型ウエイト７と共に平板コンミテータ８に一体に半田付固定させてある。」（２頁左下欄３〜１５行）
　
　・第１図及び第２図には，偏心させた軸方向空隙型のロータ５が示されている。
　
（２）対比
　そこで，本願発明と引用発明とを対比すると，後者の「２個の巻線型空心電機子コイル３」は前者の「複数の巻線型空心電機子コイル」に相当している。
　
　次に，後者の「巻線型空心電機子コイル３が載置された印刷配線板１」は，巻線型空心電機子コイル３の端末は印刷配線板１に接続されることが自明であるから，前者の「巻線型空心電機子コイルの端末が結線された印刷配線板」に相当している。
　
　また，後者の「舌片が印刷配線板１と重畳されて樹脂２によって固定されたタングステン合金製の偏心ウエイトＷ」と前者の「舌片が印刷配線板と重畳されて半田付けすることによって固定されたタングステン合金製偏心ウエイト」とは，「舌片が印刷配線板と重畳されて所定手段によって固定されたタングステン合金製偏心ウエイト」との概念で共通している。
　
　さらに，後者の「複数のコミュテータ片４からなる円筒型コミュテータＣ」は前者の「複数のセグメントからなるコミュテータ」に，後者の「含油軸受Ｊが一体に埋め込まれた」態様は前者の「軸支承部が備えられた」態様に，後者の「偏心ロータＲからなる軸方向空隙型ロータ」は前者の「軸方向空隙型偏心ロータ」に，それぞれ相当している。
　
　したがって，両者は，
「複数の巻線型空心電機子コイルと，前記巻線型空心電機子コイルの端末が結線された印刷配線板と，主要部分が前記印刷配線板と重畳しないようになっており，該主要部分から突き出されて内方に延設されたもので前記空心電機子コイルの厚み内となる舌片が備えられ，該舌片が前記印刷配線板と重畳されて所定手段によって固定されたタングステン合金製偏心ウエイトとが前記舌片を覆うように樹脂で一体化され，さらに，前記印刷配線板に複数のセグメントからなるコミュテータが備えられると共に，中心に軸支承部が備えられた軸方向空隙型偏心ロータ。」
の点で一致し，以下の点で相違している。
　
［相違点］
　タングステン合金製偏心ウエイトの舌片が印刷配線板と重畳されて「所定手段」によって固定される態様に関し，本願発明は，「半田付けすること」によって固定されるものであるのに対し，引用発明は，「樹脂」によって固定されるものである点。
　
（３）判断
　上記相違点について以下検討する。
　
　例えば，引用例２にも開示されているように，ウエイト（「碇り型ウエイト７」が相当）を半田付けすることによってコミュテータ（「平板コンミテータ８」が相当）に固定することは，軸方向空隙型偏心ロータ（「偏心させた軸方向空隙型のロータ５」が相当）の分野における周知慣用手段といえるものである。
　そして，引用発明において，タングステン合金製偏心ウエイトの舌片がコミュテータが備えられる印刷配線板（即ち，コミュテータを兼ねる印刷配線板）と重畳されて固定されるための具体的手法は，当業者が必要に応じて適宜選定し得るものであるといえるから，上記周知慣用手段に倣い，半田付けを採用することにより上記相違点に係る本願発明の構成とすることは，半田付けの採用に際して何等格別の技術的困難性及び工夫が認められない以上，当業者が容易に想到し得たものというべきである。
　
　そして，本願発明の全体構成により奏される作用効果も，引用発明及び上記周知慣用手段から当業者が予測し得る範囲内のものである。
　したがって，本願発明は，引用発明及び上記周知慣用手段に基いて当業者が容易に発明をすることができたものである。
　
（４）むすび
　以上のとおり，本願発明は，引用発明及び上記周知慣用手段に基いて当業者が容易に発明をすることができたものであるから，特許法第２９条第２項の規定により特許を受けることができないため，本願は，同法第４９条第２号の規定に該当し，拒絶をされるべきものである。
　よって，結論のとおり審決する。